(57)【要約】【課題】検査車両に乗ったまま携帯端末装置により手元で映像等を確認しながら正確な検査ができる車両検査ラインシステムを提供する。【解決手段】車両の検査対象を受像して画像処理し処理画像を形成する受像測定装置２と、該受像測定装置２からの画像信号をスナップショットとして連続してウエブサーバ３Aに取り込む演算処理装置３と、該演算処理装置３の該ウエブサーバ３Aからのスナップショットの連続する画像の出力信号を無線で入力して画像を連続して表示する端末表示装置４とからなる。【選択図】図１
2019117091.tif 000002
【特許請求の範囲】
【請求項１】
車両の検査対象を受像して画像処理し処理画像を形成する受像測定装置と、該受像測定装置からの画像信号をスナップショットとして連続してウエブサーバに取り込む演算処理装置と、該演算処理装置の該ウエブサーバからのスナップショットの連続する画像の出力信号を無線で入力して画像を連続して表示する端末表示装置とからなる車両検査ラインシステム。
【請求項２】
前記ウエブサーバは、前記受像測定装置からの画像信号をスナップショットとして連続して取り込む入力回路と、該入力回路から連続的な画像データを逐次記憶する記憶回路と、該記憶回路から逐次取り出して連続的なスナップショットの画像の画像データを前記端末表示装置に出力する出力回路とからなる請求項１記載の車両検査ラインシステム。
【請求項３】
前記演算処理装置の出力側に有線の信号線によりアクセスポイントを接続し、該アクセスポイントから無線ランにより携帯の前記端末表示装置に連絡した請求項１又は請求項２に記載の車両検査ラインシステム。
【発明の詳細な説明】
【技術分野】
【０００１】
本発明は、自動車整備工場等における自動車の1年目、2年目、3年目等の定期の継続検査等に係わる車両の検査及び点検に使用する車両検査ラインシステムに関する。
【背景技術】
【０００２】
従来この種の車両検査ラインシステムとして、車両検査ラインに設置した各種テスタと、これらテスタに接続され各種テスタの動作を制御すると共に各種テスタからの計測データを演算処理する演算制御装置と、該演算制御装置と無線により通信されて検査対象となっている車両の性能や機能の評価結果を表示すると共に各種テスタへの動作指示を行う携帯端末装置とからなるシステムが知られている（特許文献１参照）。
【先行技術文献】
【特許文献】
【０００３】
【特許文献１】特開２００８−２０４３７号公報
【発明の概要】
【発明が解決しようとする課題】
【０００４】
しかし、この従来の車両検査ラインシステムによれば、前記携帯端末装置を操作し、この操作による制御信号を受信した前記演算制御装置からの指令信号により前記各種テスタからの計測データを該演算制御装置を介して前記携帯端末装置に伝送し、該携帯端末装置において、計測データを判定値のデータと比較して基準に適合しているか否かを判断してその評価結果を表示するようにしており、該携帯端末装置においては、単に、計測データを判定値のデータと比較して基準に適合しているか否かを判断してその評価結果を表示するようにしているので、車両の検査対象の画像等を携帯端末装置においてリアルタイムに確認することができない問題点があった。
【０００５】
本発明は、このような問題点を解消し、レイアウトにとらわれることなく操作が可能で、検査車両に乗ったまま携帯の端末表示装置により手元で映像等を確認しながら正確な検査ができる車両検査ラインシステムを提供することを目的とする。
【課題を解決するための手段】
【０００６】
本発明はこの目的を達成すべく、  車両の検査対象を受像して画像処理し処理画像を形成する受像測定装置と、該受像測定装置からの画像信号をスナップショットとして連続してウエブサーバに取り込む演算処理装置と、該演算処理装置の該ウエブサーバからのスナップショットの連続する画像の出力信号を無線で入力して画像を連続して表示する端末表示装置とからなる。
【発明の効果】
【０００７】
本発明によれば、無線式端末表示装置により手元で映像等を確認しながら正確な検査ができる車両検査ラインシステムを提供する。
【図面の簡単な説明】
【０００８】
【図１】本発明の実施例１のブロック線図である。
【図２】演算処理装置のウエブサーバの個所のブロック線図である。
【図３】演算処理装置の表示操作部の正面図である。
【図４】端末表示装置の表示操作部の正面図である。
【発明を実施するための形態】
【０００９】
本発明を実施するための形態の実施例を以下に示す。
【実施例１】
【００１０】
本発明の車両検査ラインシステムの実施例１を図面により説明する。
【００１１】
図１は本発明の実施例１のブロック線図、図２は演算処理装置のウエブサーバの個所のブロック線図、図３は演算処理装置の表示操作部の正面図、図４は端末表示装置の表示操作部の正面図である。
【００１２】
１は実施例１の車両検査ラインシステム、２は該車両検査ラインシステム１の受像測定装置、３は演算処理装置、４は端末表示装置を示し、前記受像測定装置２はカメラ部とカメラ画像処理部と計測部とからなり、例えばヘッドライトテスターにおいて自動車のヘッドライトの光線を該カメラ部により受光して該カメラ画像処理部により例えばヘッドライトのカットラインの配光の画像データを形成すると共に該計測部により該ヘッドライトの光度等の測定データを得るように形成されている。
【００１３】
前記受像測定装置２と前記演算処理装置３との間には第１信号線５と第２信号線６とにより接続し、前記画像データが該第１信号線５により前記演算処理装置３に送信し、又、前記測定データが前記第２信号線６により該演算処理装置３に送信するようにした。
【００１４】
又、前記処理演算装置３は、前記第１信号線５の画像データからのスナップショットの画像、即ち、ある時点（瞬間）における対象の全体の画像を連続的に取り込むウエブサーバ３Aを有し、該ウエブサーバ３Aに取り込まれた連続的なスナップショットの画像を、該演算処理装置３に接続した表示操作部７に取り出して表示する親機に形成した。
【００１５】
即ち、前記ウエブサーバ３Aは、図２に示す如く前記第１信号線５の画像データからのスナップショットの画像の画像データを連続的に取り込む入力回路３Bと、該入力回路３Bから連続的な画像データを逐次記憶する記憶回路３Cと、該記憶回路３Cから逐次取り出して連続的なスナップショットの画像の画像データを前記端末表示装置４及び前記表示操作部７に出力する出力回路３Dとからなる。尚、前記ウエブサーバ３Aにおいて、前記入力回路３Bと前記記憶回路３Cと前記出力回路３Dをソフトウェアにより形成してもよい。
【００１６】
８はイーサネット（登録商標）ハブ、即ち、ハブを示し、該ハブ８と前記演算処理装置３との間をイーサネット（登録商標）からなる有線ランの第３信号線９により接続すると共に、該ハブ８よりイーサネット（登録商標）からなる有線ランの第４信号線１０を介してアクセスポイント１１に接続し、該アクセスポイント１１において有線信号より無線信号に信号変換して該アクセスポイント１１により無線ラン１２により子機の携帯の前記端末表示装置４に無線信号により連絡するようにした。
【００１７】
次に、上記実施例１の車両検査ラインシステム１の作用と効果について説明する。
【００１８】
自動車のヘッドライトを点灯し、ヘッドライトテスターの測定受光部において受光して光度や上下方向や左右方向の光軸を測定してこれらの測定データを、前記第２信号線６、前記演算処理装置３、前記第３信号線９、前記ハブ８、前記第４信号線１０、前記アクセスポイント１１及び前記無線ラン１２を介して送信し前記端末表示装置４の表示操作部１３の測定データ表示部１３Aにおいて測定値として得る。
【００１９】
又、ヘッドライトテスターの前記受像測定装置２において自動車のヘッドライトの光線をカメラ部により受光してカメラ画像処理部により得られた処理画像、例えばヘッドライトのカットラインのスナップショットの画像データは、前記演算処理装置３に有する前記ウエブサーバ３Aの入力回路３Bにおいて連続的に取り込み、この取り込まれた連続的な画像データを前記記憶回路３Cに逐次記憶してから、前記出力回路３Dは該記憶回路３Cから連続的なスナップショットの画像の画像データを逐次取り出し、前記第３信号線９、前記ハブ８、前記第４信号線１０、前記アクセスポイント１１及び前記無線ラン１２を介して送信し前記端末表示装置４の表示操作部１３の画像表示部１３Bにリアルタイムにすれ違い灯のカットライン像としてとして得られる。又、同時にこのすれ違い灯のカットライン像は前記演算処理装置３に接続した表示操作部７の画像表示部７Bにリアルタイムにすれ違い灯のカットライン像としてとして得られる。即ち、子機の携帯の前記端末表示装置４の表示操作部１３と前記演算処理装置３の親機の表示操作部７において、同一の画像と併せて測定値もリアルタイムにミラーリング、即ち、同時に同じ画像等が表示される。
【００２０】
７Aは該表示操作部７の測定データ表示部を示す。
【００２１】
尚、前記ハブ８においては、前記アクセスポイント１１及び前記無線ラン１２を介して複数の前記端末表示装置４を接続することができる。
【産業上の利用可能性】
【００２２】
本発明は、自動車の製造又は整備検査において検査作業を効率的に行うのに利用される。
【符号の説明】
【００２３】
１      車両検査ラインシステム
２      受像測定装置  
３      演算処理装置
３A    ウエブサーバ
３B    入力回路
３C    記憶回路
３D    出力回路
４      端末表示装置
７      表示操作部  
８      ハブ
９      信号線
１０      信号線
１１      アクセスポイント
１２      無線ラン
【図１】
2019117091.tif 000003
【図２】
2019117091.tif 000004
【図３】
2019117091.tif 000005
【図４】
2019117091.tif 000006
【手続補正書】
【提出日】平成29年12月28日(2017.12.28)
【手続補正１】
【補正対象書類名】図面
【補正対象項目名】全図
【補正方法】変更
【補正の内容】
【図１】
2019117091.tif 000007
【図２】
2019117091.tif 000008
【図３】
2019117091.tif 000009
【図４】
2019117091.tif 000010